(57)【要約】      （修正有）【課題】買物等で使用するエコバッグの保管や収納が便利であり、作業効率アップをはかるとともにバッグに保管したときの見栄え、バッグからの取り出しやすさ、また、エコバッグの出し入れやすさを図ったエコバッグ収納袋を提供する。【解決手段】柔軟性のある布地製の開口部３にゴム６を取付たことを特徴とし、ゴムにエコバッグに着脱可能な取付手段２が取付けられている。着脱可能な取付手段はエコバッグ持ち手部分を自在に摺動可能に取り付けられていることを特徴とする。【選択図】図７
0003193379.tif 000002
【実用新案登録請求の範囲】
【請求項１】
柔軟性のある布地製の袋の開口部にゴムを取付たことを特徴とするエコバック収納袋。  
【請求項２】
前記ゴムにエコバックに着脱可能な取付手段が取付けられていることを特徴とするエコバック収納袋。            
【請求項３】
前記着脱可能な取付手段はエコバック持ち手部分を自在に摺動可能に取付けられていることを特徴とするエコバック収納袋。
【考案の詳細な説明】
【技術分野】
【０００１】
本考案は、作成した巾着袋のゴムの収縮性により、エコバックの出し入れ作業の能率アップと収納時コンパクトになることによりバックの中の物とかさばることなく収まること。
【背景技術】
【０００２】
エコバックは購入した商品を持ち帰り、商品を出して個々のバックに畳んで収納するのが一般的である。
また、その商品を持ち帰り商品を出して畳んでバックに収納するのが一般的である。
【考案の概要】
【考案が解決しようとする課題】
【０００３】
買物時、バックからエコバックを取り出すとき財布やポーチ、小物などがかさばりエコバック持ち手の部分や袋部分が引っ掛かり出しにくいことが多い。特に夕方は主婦は早く帰って食事を作らなくてはいけないので、ショッピングセンターでの買物後バックからエコバックを取り出すとき、持ち手がのびていたり袋部分がみだれていたら取り出す作業能率が悪い。
また、みだれたエコバックが小物に引っ掛かり小物を落としてしまうこともある。落としたことを気づかない場合、大事な物であったら取り返しがつかない。その落とした物をしゃがんで拾う動作も急いでいるときなど時間のロスになる。特にお年寄りや障害のある方など大変な動作である。また、急いでいるときなど商品を入れる台の上にバックを乗せたまま小物を拾おうとしたとき置き引きにあう可能性もある。 
【課題を解決するための手段】
【０００４】
前記課題を解決するための本考案は袋の開口部に収縮性のきくゴムを入れ、その袋に取り外しのきく用具をつけることを特徴とするエコバック収納袋である。
本考案は、袋のゴムを通す縫いはじめ口、また縫い終わり口に鎖をつけることを特徴とするエコバック収納袋である。
【０００５】
すなわち、請求項１に記載のエコバック収納袋は、柔軟性のある布地製の袋の開口部にゴムを取付たことを特徴とする。 又、請求項２に記載のエコバック収納袋は、前記ゴムにエコバックに着脱可能な取付手段が取付けられていることを特徴とする。又、請求項３に記載のエコバック収納袋は、前記着脱可能な取付手段はエコバック持ち手部分を自在に摺動可能に取付けられていることを特徴とする。
【考案の効果】
【０００６】
開口部がゴムで収縮性があるため、エコバックの出し入れの作業能率がアップする。
【０００７】
取り外しのきく鎖のため手持ちのエコバックや購入したエコバックに着脱できる利便性がある。
【０００８】
バックの中がコンパクトにまとまり、バックから取り出すとき財布や小物に引っ掛からず取り出しやすい。
【０００９】
スムーズに出すことにより、小物を下に落とすことなく、しゃがんで物をとる動作がなくなる。
【００１０】
手早く出し入れができることによってストレスが軽減される。
【００１１】
夕方時ショッピングセンターでのお客が多い時間エコバックをスムーズに出すことにより、購入した商品を台の上で入れている人の回転率が早くなる。      
【００１２】
バックを開けたときコンパクトに収納され、みだれていないため見栄えが良い。
【図面の簡単な説明】
【００１３】
【図１】袋の形態を示す説明図
【図２】エコバック（Ａ）に（１）を取り付けた状態を示す
【図３】エコバック（Ｂ）左側側部から（Ｃ）右側側部へ４つ折りに畳んでいく過程の平面図
【図４】エコバック（Ｄ）底部を（Ｅ）持ち手にむけて１２折りに畳んでいく過程で袋（１）の位置を示した平面図
【図５】エコバック（Ａ）を折り畳み袋（１）の位置を示した平面図
【図６】袋（１）にエコバック（Ａ）を入れていく過程の平面図
【図７】開口部（３）の縫い代に（６）のゴムを通す位置と（２）の鎖を通す位置を示す図
【考案を実施するための形態】
【００１４】
本考案に係るエコバック収納袋はゴムの収縮性により非常に手早く出し入れができる。
【００１５】
着脱可能な鎖をつけることによって、個々のエコバックに取り外しができる利便性がある。
【００１６】
また、袋の布地の材料として柔軟性、かつ軽量な布地が良い。
【００１７】
エコバックと袋の連結部材として鎖を用いるのが良いが、紐、他の部材で着脱可能なものであれば用いても良い。
【００１８】
袋の布地の色、柄は適法であれば良い。
【００１９】
エコバックと袋を一つのペアとして作成しても良い。
【符号の説明】
【００２０】
（１）袋
（２）鎖
（３）開口部
（４）底部
（５）側部
（６）ゴム
（Ａ）エコバック
（Ｂ）左側部
（Ｃ）右側部
（Ｄ）底部
（Ｅ）持ち手
【図１】
0003193379.tif 000003
【図２】
0003193379.tif 000004
【図３】
0003193379.tif 000005
【図４】
0003193379.tif 000006
【図５】
0003193379.tif 000007
【図６】
0003193379.tif 000008
【図７】
0003193379.tif 000009
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
柔軟性のある布地製の開口部にゴムを取付たことを特徴とするエコバッグ収納袋。
【請求項２】
前記ゴムにエコバッグに着脱可能な取付手段が取付けられていることを特徴とする請求項１に記載のエコバッグ収納袋。  
【請求項３】
前記着脱可能な取付手段はエコバッグ持ち手部分を自在に摺動可能に取り付けられていることを特徴とする請求項２に記載のエコバッグ収納袋。
【手続補正２】
【補正対象書類名】明細書
【補正対象項目名】全文
【補正方法】変更
【補正の内容】
【考案の詳細な説明】
【技術分野】
【０００１】
本考案は、作成した巾着袋のゴムの収縮性により、エコバッグの出し入れ作業の能率アップと収納時コンパクトになることによりバックの中の物とかさばることなく収まること。
【背景技術】
【０００２】
エコバッグは購入した商品を持ち帰り、商品を出して個々のバックに畳んで収納するのが一般的である。
また、その商品を持ち帰り商品を出して畳んでバックに収納するのが一般的である。
【考案の概要】
【考案が解決しようとする課題】
【０００３】
買物時、バックからエコバッグを取り出すとき財布やポーチ、小物などがかさばりエコバッグ持ち手の部分や袋部分が引っ掛かり出しにくいことが多い。
特に夕方は主婦は早く帰って食事を作らなくてはいけないので、ショッピングセンターでの買物後バックからエコバッグを取り出すとき、持ち手がのびていたり袋部分がみだれていたら取り出す作業能率が悪い。
また、みだれたエコバッグが小物に引っ掛かり小物を落としてしまうこともある。
落としたことを気づかない場合、大事な物であったら取り返しがつかない。その落とした物をしゃがんで拾う動作も急いでいるときなど時間のロスになる。特にお年寄りや障害のある方など大変な動作である。
また、急いでいるときなど商品を入れる台の上にバックを乗せたまま小物を拾おうとしたとき置き引きにあう可能性もある。
【課題を解決するための手段】
【０００４】
前記課題を解決をするための本考案は、袋の開口部に収縮性のきくゴムを入れ、その袋に取り外しのきく用具をつけることを特徴とするエコバッグ収納袋である。本考案は、袋のゴムを通す縫いはじめ口、また縫い終わり口に鎖をつけることを特徴とするエコバッグ収納袋である。
【０００５】
すなわち、請求項１に記載のエコバッグ収納袋は、柔軟性のある布地製の開口部にゴムを取付たことを特徴とする。請求項２に記載のエコバッグ収納袋は、前記ゴムにエコバッグに着脱可能な取付手段が取付けられていることを特徴とする。請求項３に記載のエコバッグ収納袋は、前記着脱可能な取付手段はエコバッグ持ち手部分を自在に摺動可能に取り付けられていることを特徴とする。
【考案の効果】
【０００６】
開口部がゴムで収縮性があるため、エコバッグの出し入れの作業能率がアップする。
【０００７】
取り外しのきく鎖のため手持ちのエコバッグや購入したエコバッグに着脱できる利便性がある。
【０００８】
バックの中がコンパクトにまとまり、バックから取り出すとき財布や小物に引っ掛からず取り出しやすい。
【０００９】
スムーズに出すことにより、小物を下に落とすことなく、しゃがんで物をとる動作がなくなる。
【００１０】
手早く出し入れができることによってストレスが軽減される。
【００１１】
夕方時ショッピングセンターでのお客が多い時間エコバッグをスムーズに出すことにより、購入した商品を台の上で入れている人の回転率が早くなる。      
【００１２】
バックを開けたときコンパクトに収納され、みだれていないため見栄えが良い。
【図面の簡単な説明】
【００１３】
【図１】袋の形態を示す説明図
【図２】エコバッグ（Ａ）に（１）を取り付けた状態を示す
【図３】エコバッグ（Ｂ）左側側部から（Ｃ）右側側部へ４つ折りに畳んでい        いく過程の平面図
【図４】エコバッグ（Ｄ）底部を（Ｅ）持ち手にむけて１２折りに畳んでいく過程で袋（１）の位置を示した平面図
【図５】エコバッグ（Ａ）を折り畳み袋（１）の位置を示した平面図
【図６】袋（１）にエコバッグ（Ａ）を入れていく過程の平面図
【図７】開口部（３）の縫い代に（６）のゴムを通す位置と（２）の鎖を通す位置を示す図
【考案を実施するための形態】
【００１４】
本考案に係るエコバッグ収納袋はゴムの収縮性により非常に手早く出し入れができる。
【００１５】
着脱可能な鎖をつけることによって、個々のエコバッグに取り外しができる利便性がある。
【００１６】
また、袋の布地の材料として柔軟性、かつ軽量な布地が良い。
【００１７】
エコバッグと袋の連結部材として鎖を用いるのが良いが、紐、他の部材で着脱可能なものであれば用いても良い。
【００１８】
袋の布地の色、柄は適法であれば良い。
【００１９】
エコバッグと袋を一つのペアとして作成しても良い。
【符号の説明】
【００２０】
（１）袋
（２）鎖
（３）開口部
（４）底部
（５）側部
（６）ゴム
（Ａ）エコバッグ
（Ｂ）左側部
（Ｃ）右側部
（Ｄ）底部
（Ｅ）持ち手